(57)【要約】      （修正有）【課題】コードをコンパクトに且つスムーズに巻取収納する。【解決手段】本体１０から導出されて先端に導子を備えたコード２１の巻き取り巻き出し用のコードリール３を本体１０内に配置したものにおいて、コード２１の幅の２倍未満の開口幅のコード挿通口１１を通じて複数本のコード２１を本体１０から外部に導出している。もしくはコード挿通口１１とコードリール３との間に複数本のコード２１を区画する隔壁４を設ける。複数本のコードがその位置を互いに入れ換えてしまうことがないために、コードリールに巻かれるコードに絡みが生じにくいものである。【選択図】図１
2008104744.tif 000002
【特許請求の範囲】
【請求項１】
本体から導出したコードの先端に導子を設けた低周波治療器において、本体内に上記コードの巻き取り巻き出し用のコードリールを配置するとともに、コードの幅の２倍未満の開口幅のコード挿通口を通じて複数本のコードを本体から外部に導出していることを特徴とする低周波治療器。
【請求項２】
本体から導出したコードの先端に導子を設けた低周波治療器において、本体内に上記コードの巻き取り巻き出し用のコードリールを配置するとともに、本体におけるコードの外部への導出用のコード挿通口とコードリールとの間に複数本のコードを区画する隔壁を設けていることを特徴とする低周波治療器。
【請求項３】
隔壁はコードの挿通方向における断面がテーパ状であることを特徴とする請求項２記載の低周波治療器。
【請求項４】
コードリールは複数本のコードを同一のリール溝に巻き取るものであるとともに、その溝幅はコード幅の同時巻き取り本数分の幅以上で且つ同時巻き取り本数＋１本分の幅未満であることを特徴とする請求項１〜３のいずれか１項に記載の低周波治療器。
【請求項５】
コードリールは複数のコードを個別のリール溝に巻き取るものであることを特徴とする請求項１〜３のいずれか１項に記載の低周波治療器。
【請求項６】
コードリールは複数本のコードを径方向において交互に巻き取るものであることを特徴とする請求項１〜３のいずれか１項に記載の低周波治療器。
【請求項７】
リール溝の溝幅はコード幅以上で且つコード幅の２倍未満であることを特徴とする請求項５または６記載の低周波治療器。
【請求項８】
コードリールはその内部に巻き取ったコードを回転中心方向に押圧する弾性片を備えていることを特徴とする請求項１〜６のいずれか１項に記載の低周波治療器。
【請求項９】
コード挿通口もしくはその近辺にコードを挟んで対向する対のローラを配置していることを特徴とする請求項１〜８のいずれか１項に記載の低周波治療器。
【発明の詳細な説明】
【技術分野】
【０００１】
本発明は、低周波治療器、殊に導子に至るコードを巻き取るコードリールを本体に内蔵している低周波治療器に関するものである。
【背景技術】
【０００２】
治療の為の電流をコードの先端にある導子から体に出力する低周波治療器では、対となる導子を夫々人体の任意の箇所に接触させることができるようにするためには、これら導子に至るコードが別になっている、もしくは途中から分岐している必要がある。
【０００３】
ここにおいて、ピンジャックなどでコードを本体に着脱自在に接続するものでは、収納時にコードの保管が手間となることから、実開平０２−０７１５５０号公報に示されたもののように、コードを巻き取るためのコードリールを本体内に配したものが提供されている。
【０００４】
しかし、各導子に接続された２本のコードをまとめてコードリールに巻き取る場合、コードが捻れたり絡んだりした状態で巻き取ってしまうことが多々あり、この時、本体におけるコード挿通口にコードがひっかかったり、コードリール内部でコードが膨らんでスペースが無くなったりして最後まできれいに巻き取れないことがある。
【０００５】
コードが捻れても最後まで巻き取れるように大きなコード挿通口やコード巻取空間を確保することもできるが、この時にはコード巻取り部が大きくなって本体も大きくなる。
【特許文献１】実開平０２−０７１５５０号公報
【発明の開示】
【発明が解決しようとする課題】
【０００６】
本発明は上記の従来の問題点に鑑みて発明したものであって、コードをコンパクトに且つスムーズに巻取収納することができる低周波治療器を提供することを課題とするものである。
【課題を解決するための手段】
【０００７】
上記課題を解決するために本発明に係る低周波治療器は、本体から導出したコードの先端に導子を設けた低周波治療器において、本体内に上記コードの巻き取り巻き出し用のコードリールを配置するとともに、コードの幅の２倍未満の開口幅のコード挿通口を通じて複数本のコードを本体から外部に導出していることに第１の特徴を有しており、本体におけるコードの外部への導出用のコード挿通口とコードリールとの間に複数本のコードを区画する隔壁を設けていることに第２の特徴を有している。
【０００８】
複数本のコードがその位置を互いに入れ換えてしまうことがないために、コードリールに巻かれるコードに絡みが生じにくいものであり、このためにコードをコンパクトに且つスムーズに巻き取ることができる。
【０００９】
上記の隔壁はコードの挿通方向における断面がテーパ状であることが好ましい。コードを巻き取る時、捻れているコードを隔壁で解くことができるために、巻き取りがよりスムーズになる。
【００１０】
上記コードリールが複数本のコードを同一のリール溝に巻き取るものである場合は、その溝幅はコード幅の同時巻き取り本数分の幅以上で且つ同時巻き取り本数＋１本分の幅未満としておく。コードリール内でコードが絡むことがなくなる。
【００１１】
もちろん、コードリールは複数のコードを個別のリール溝に巻き取るものであってもコードリール内でのコードの絡みの問題を無くすことができるほか、１本のコードだけを引き出した時にコードリール内で他方のコードが逆向きに巻かれることによって生じる問題を少なくすることができる。
【００１２】
また、コードリールは複数本のコードを径方向において交互に巻き取るものであっても、コードが絡むことなくコードリールに巻かれるために問題を生じることはなく、薄型化を図りたい場合に有利である。
【００１３】
そして、複数のコードを個別のリール溝に巻き取る場合や複数本のコードを径方向において交互に巻き取る場合、リール溝の溝幅はコード幅以上で且つコード幅の２倍未満としておくことで、外周側のコードが内周側に入り込んでしまう事態が生じるのを防ぐことができるために、コードの巻き取り巻き出しを常にスムーズに保つことができる。
【００１４】
コードリールの内部に、巻き取ったコードを回転中心方向に押圧する弾性片を設けたものでは、コードを常にきれいに巻き取ることができるために、コードの絡みによる問題が生じにくくなるほか、コードリール内部でコードが時として逆向きに巻かれてしまう事態を避けることができる。
【００１５】
そしてコード挿通口もしくはその近辺にコードを挟んで対向する対のローラを配置していると、コードをよりスムーズに巻き取り巻き出しすることができるものとなる。
【発明の効果】
【００１６】
本発明においては、複数本のコードを単一のコードリールに巻き取るものにおいて、複数本のコードがその位置を互いに入れ換えてしまうことがないために、コードリールに巻かれるコードに絡みが生じにくいものであり、このためにコードをコンパクトに且つスムーズに巻き取って本体内に収納することができる。
【発明を実施するための最良の形態】
【００１７】
以下、本発明を添付図面に示す実施形態に基いて説明すると、図３は本発明に係る低周波治療器１を示しており、電源及び回路を内蔵する本体からは２本のコード２１，２１が導出されており、各コード２１の先端には接続端子２０を介して導子２が設けられている。なお、上記接続端子２０は導子２に対して着脱自在となっている。
【００１８】
また上記本体１内には図１及び図４に示すように２本のコード２１，２１を巻き取るためのコードリール３が収められている。このコードリール３は、軸回りの回転が自在に支持されたリール３０と、リール３０の外周を囲むリング状の外周壁３５、リール３０を一方向に回転付勢するぜんまいばね３４，接続板３６等で構成されたもので、上記２本のコード２１，２１の各一端はリール３０の内周部に配されているとともに上記接続板３６との間でスリップリングを構成する端子（図示せず）に接続されている。
【００１９】
外周方向が開放されている上記リール３０に巻かれたコード２１，２１は、上記外周壁３５の一部に形成された窓３７と、本体１０の外殻に形成されたコード挿通口１１とを通じて外部に導出されている。
【００２０】
ここにおいて、上記コード挿通口１１は、２本のコード２１，２１の挿通部を区画する隔壁４を備えている。この隔壁４は、図２(a)に示すように、コード挿通口１１の内壁を内側に膨らませたもの、図２(b)に示すように各コード２１用のコード挿通口１１を個別に設けたもの、図２(c)に示すように、コード挿通口１１を横切るリブとして設けたもの等、２本のコード２１の位置が入れ換わることがないようにしたものであれば、どのような形態のものであってもよい。
【００２１】
いずれにしても、上記隔壁４の存在により、本体１内のコードリール３に巻き取られる２本のコード２１，２１は、捻れたり絡んだりした状態ではコード挿通口１１を通らないために、２本のコード２１，２１は分離した状態でコードリール３に巻き取られるものであり、このためにコードリール３によるコード２１，２１の巻き取り及び巻き出しは、スムーズに行うことができる。
【００２２】
２本のコード２１，２１を分離する上記隔壁４は、コード挿通口１１にではなく、図５や図６に示すように、コード挿通口１１とコードリール３との間に設けてもよい。また、図７に示すように、上記両種隔壁４，４を併用するものであってもよい。
【００２３】
なお、上記隔壁４は、図９に示すように少なくとも外部側の厚みが薄くなったテーパ状となっているものが好ましい。コード２１，２１を巻き取る時、コード２１，２１が捻れたりしていても隔壁４のテーパによってコード２１の曲げ半径が大きくなるために、捻れを解きやすくなるからである。また、図に示す隔壁４のように、内部側についてもテーパ状としておけば、コードリール３内で捻れたコード２１，２１を引き出す時に引き出しが容易となる。
【００２４】
このほか、コードリール３のリール３０における２本のコード２１，２１が巻き取られるリール溝は、図８に示すように、その幅Ｗを２本のコード２１の幅ｗの和２ｗ以上で且つ３ｗ以下の値としておくのが、リール溝内でのコード２１，２１の捻れを防ぐという点で好ましい。なお、ここでは同時に巻き取るコード２１が２本であるが、コード２１の本数をｎとする時、上記幅Ｗはｎｗ≦Ｗ＜（ｎ＋１）ｗとする。
【００２５】
以上の例では、コード挿通口１１からコードリール３に至るまでの間に各コード２１を分離する隔壁４を設けたものを示したが、図１０に示すように、コード挿通口１１の幅Ｄをコード２１の幅ｗの２倍より小さくすることで、２本のコード２１の位置が入れ換わることがないようにしたものであってもよい。特にコード２１として図１１に示すように断面形状が扁平型のものを用いたならば、コード２１同士の捻れそのものが生じにくくなっていることから、隔壁４がなくても捻れが生じることはまずないものとなる。
【００２６】
コードリール３のリール３０として、図１２に示すように、各コード２１毎にリール溝を形成することになる隔壁３４を備えたものを用いたならば、更に好ましい結果を得ることができる。
【００２７】
２本のコード２１，２１を単一のリール溝に巻き取っている場合、図１４に示すように、一方のコード２１のみを引き出した時、本来ならば他方のコード２１もコード２１同士の摩擦によって同時に引き出されてくるのであるが、コード２１におけるリール３０と共に回転している部分との摩擦によってリール３０内に逆向きに巻き取られてしまうことがある上に、時には２本のコード２１の重なりもあってリール体積で決まる巻き取り可能回数よりも多くなる部分が生じて、この状態で更にコード２１を更に引き出そうとすると、コード２１が断線してしまう事態が生じる。
【００２８】
しかし、コード２１毎にリール溝を設けたものでは、逆向きにコード２１が巻き取られる事態が生じても、２本のコード２１が径方向において重なることがないために、巻き取り可能回数よりも多くなる部分が生じることが少なくなり、上記断線を招く虞が小さくなる。
【００２９】
なお、コード２１を個別に巻き取るリール溝は、図１２(b)に示すように、底部幅Ｗ２よりも開口幅Ｗ１が広くなっているテーパ状断面のものとすると、巻き取りがよりスムーズとなる。また、この場合のリール溝の幅Ｗ１，Ｗ２は、コード２１の幅ｗに対してｗ＜Ｗ１，Ｗ２＜２ｗとなるようにしたもの、つまりはリール３０に巻かれたコード２１の外周側の部分が内周側の部分よりも内側に入り込んでしまうことがないようにしたものが好ましい。これは２本のコード２１，２１のうちの１本だけを引き出した時、他方のコード２１は上記引き出しに伴うリール３０の回転で弛みが生じるが、この弛みが生じているコード２１を引き出しても、そのコード２１は内周側と外周側との位置関係が常時保たれているために、スムーズに引き出すことができるからである。
【００３０】
図１３はコードリール３におけるリール３０として、一方のコード２１を巻き取るリール溝と他方のコード２１を巻き取るリール溝とを内周側と外周側とに区画して設けた場合の例を示している。
【００３１】
図１６は、コードリール３におけるリール３０の外周に位置する外周壁３５に、リール３０の外周縁（及び隔壁３４の外周縁）が外側に膨らむことを防ぐ変形防止部３８を設けた例を示している。コード３１にかかる張力が大きくなった時、外周側のコード２１がリール３０の壁を撓ませて内周側に入り込もうとすることがあるが、リール３０を金属製のように剛性の高いものとしなくても、上記撓みが生じないために、コード２１の外周側と内周側の位置関係が崩れてしまうことがないものである。
【００３２】
また図１７(a)は、外周壁３５をゴムで形成することで、コード２１が内部で絡まったりして体積が多くなった時には変形してコード巻取空間が広がるようにしたものである。ただし外周壁３５はリール３０の外周部からコード２１がはみ出る隙間の無いように配置してある。コード２１の引き出し及び巻取時に、コードが絡んだり膨らんだりしても外周壁３５が膨らむことでコード２１が内部で詰まったり引っ掛かったりすることがない。
【００３３】
外周壁３５全体に上記弾性を与えるのではなく、図１７(b)に示すようにコード２１が通される窓３７付近にだけ弾性を与えるようにしてもよい。この場合、コード２１が内部で絡んだり膨らんだりした時には、窓３７付近が外側に開いて絡まった部分を外に出すために、スムーズな動作を得ることができる。外周壁３５の内面を潤滑剤で表面コーティングして滑りやすくすることも好ましい。
【００３４】
図１８は外周壁３５における窓３５の近傍で且つコード２１の引き出し時におけるリール３０の回転方向の前方側の内面に、コード２１を回転方向中心に向けて押圧する力を持った弾性片３９を設けたものを示しており、先端が上記回転方向の後方側に向けられた弾性片３９は、コード２１を1本のみ引っ張った時に他方のコード２１が窓３７を通り越して反対側に巻かれていこうとする時、弾性片３９に乗り上げるために、逆向きに巻かれることなく窓３７から引き出される。また、上記弾性片３９の存在により、コード２１はリール３０に対して常にきれいに巻き取られることにある。
【００３５】
コードリール３のリール３０としては、図１９に２本のコード２１ａ，２１ｂが径方向において交互に巻かれるようにしたものであってもよい。この時のリール溝の幅はやはりコード２１の１本分の幅よりも大きく且つ２本分の幅よりも小さくしておく。コードリール３の厚みを薄くしたい場合に有効である。なお、前述の隔壁４の存在などにより、２本のコード２１ａ，２１ｂは常に交互に位置するように巻き取られることになる。また、２本のコード２１ａ，２１ｂのうちの１本のみを引っ張った時、この１本のコードに乗せられたような形で他方のコードも引き出されるために、コードリール３の内部でコード２１ａ，２１ｂが絡まることはない。
【００３６】
図２０及び図２１に示すように、コード挿通口１１やコードリール３における窓３７の部分にコード２１，２１を間にして対向する対のローラ５，５を配置することも有効である。コード２１の出し入れの時の摩擦抵抗が軽減されるために、コード２１の巻き取り巻き出し操作がよりスムーズとなる上に、コード２１同士の絡みが生じにくくなる。特に図２１に示すように、対のローラ５，５の両者が常にコード２１に接触するようにしたものでは、コード２１同士の絡みがより生じにくくなる。また、コード２１として図２１(c)(d)に示すように扁平型のものを用いると、ローラ５とコード２１との接触面積が大きくなるために、一方のコード２１を引っ張った時に他方のコード２１もローラ２１によって引き出されることがより確実になされるために、コード２１の絡みが更に生じにくくなる。
【００３７】
図２２は、コード挿通口１１に配した対向するローラ５，５でコード２１，２１を挟持すると同時に、コード挿通口１１とコードリール３との間に両コード２１，２１間を区画する隔壁４を設けたものを示している。
【００３８】
一対の導子２，２を２組持つ低周波治療器１では、上記コードリール３を２つ設けておけばよく、この時、本体１０の左右に２つのコードリール３，３を配置する場合、一方のコードリール３を裏向きに配置すれば、同一のコードリール３，３を用いながらも左右対称の位置にコード挿通口１１を配置することができて、全体としてまとまりの良いものを得ることができる。
【図面の簡単な説明】
【００３９】
【図１】本発明の実施の形態の一例の断面図である。
【図２】(a)(b)(c)は夫々同上のコード挿通口の異なる例の正面図である。
【図３】同上の全体を示す斜視図である。
【図４】同上のコードリール全体を示す断面図である。
【図５】他例の断面図である。
【図６】更に他例の断面図である。
【図７】別の例の断面図である。
【図８】更に別の例の断面図である。
【図９】(a)(b)は隔壁の断面形状例を示す正面図及び断面図である。
【図１０】他の実施の形態の一例におけるコード挿通口の正面図である。
【図１１】(a)(b)(c)(d)は夫々同上の他の例におけるコード挿通口の正面図である。
【図１２】別の例を示すもので、(a)は断面図、(b)はリールの部分断面図である。
【図１３】更に別の例の断面図である。
【図１４】(a)(b)(c)(d)は一方のコードのみを引き出した時の他方のコードの動きを示す断面図である。
【図１５】(a)(b)(c)(d)は一方のコードのみを引き出した時の他方のコードの動きを示す他の断面図である。
【図１６】別の例のリール及び外周壁の部分断面図である。
【図１７】(a)(b)はコードリールの外周壁の別の例の断面図である。
【図１８】(a)(b)(c)(d)は更に別の例の動作を示す断面図である。
【図１９】(a)(b)は夫々異なる例におけるリールの断面図である。
【図２０】(a)(b)は夫々ローラを配した異なる例における正面図である。
【図２１】(a)(b)(c)(d)は夫々ローラを配した異なる例における正面図である。
【図２２】(a)(b)は他の例における正面図と断面図である。
【符号の説明】
【００４０】
１  低周波治療器
２  導子
３  コードリール
４  隔壁
１０  本体
１１  コード挿通口
２１  コード
【図１】
2008104744.tif 000003
【図２】
2008104744.tif 000004
【図３】
2008104744.tif 000005
【図４】
2008104744.tif 000006
【図５】
2008104744.tif 000007
【図６】
2008104744.tif 000008
【図７】
2008104744.tif 000009
【図８】
2008104744.tif 000010
【図９】
2008104744.tif 000011
【図１０】
2008104744.tif 000012
【図１１】
2008104744.tif 000013
【図１２】
2008104744.tif 000014
【図１３】
2008104744.tif 000015
【図１４】
2008104744.tif 000016
【図１５】
2008104744.tif 000017
【図１６】
2008104744.tif 000018
【図１７】
2008104744.tif 000019
【図１８】
2008104744.tif 000020
【図１９】
2008104744.tif 000021
【図２０】
2008104744.tif 000022
【図２１】
2008104744.tif 000023
【図２２】
2008104744.tif 000024